(57)【特許請求の範囲】
【請求項１】
端末がチャネル状態情報を転送する方法であって、
前記方法は、
参照信号にマッピングされるアップリンク（ＵＬ）チャネルを知らせるマッピング情報を受信することと、
前記マッピング情報に基づいて有効ダウンリンク（ＤＬ）サブフレームを決定することと、
前記有効ＤＬサブフレームにおいて前記参照信号を測定することと、
前記測定に基づいて生成されたチャネル状態情報（ＣＳＩ）を設定されたＵＬサブフレームにおいて転送することと
を含み、
前記ＵＬチャネルは、前記設定されたＵＬサブフレームに位置し、
前記有効ＤＬサブフレームは、前記ＵＬチャネルにマッピングされる前記参照信号を含むＤＬサブフレームであり、
前記参照信号が、時間領域で異なるＤＬサブフレームに位置する複数の参照信号を含む場合、一つのみのＵＬサブフレームが、前記設定されたＵＬサブフレームとして前記異なるＤＬサブフレームに提供される、方法。
【請求項２】
前記ＵＬチャネルは、ＰＵＣＣＨ（Ｐｈｙｓｉｃａｌ  Ｕｐｌｉｎｋ  Ｃｏｎｔｒｏｌ  ＣＨａｎｎｅｌ）またはＰＵＳＣＨ（Ｐｈｙｓｉｃａｌ  Ｕｐｌｉｎｋ  Ｓｈａｒｅｄ  ＣＨａｎｎｅｌ）である、請求項１に記載の方法。
【請求項３】
前記ＵＬチャネルが前記ＰＵＣＣＨである場合、前記ＣＳＩは、周期的に転送される、請求項２に記載の方法。
【請求項４】
前記ＵＬチャネルが前記ＰＵＳＣＨである場合、前記ＣＳＩは、非周期的に転送される、請求項２に記載の方法。
【請求項５】
端末がチャネル状態情報を転送する方法であって、
前記方法は、
チャネル状態情報（ＣＳＩ）参照資源を構成する有効ダウンリンク（ＤＬ）サブフレームの数Ｎ（Ｎは、１よりも大きい自然数である）に関する情報を受信することと、
前記数Ｎに関する情報に基づいて、Ｎ個の有効ＤＬサブフレームを決定することと、
前記Ｎ個の有効ＤＬサブフレームにおいて参照信号を測定することと、
前記測定に基づいて生成されたＣＳＩを設定されたアップリンク（ＵＬ）サブフレームにおいて転送することと
を含み、
前記Ｎ個の有効ＤＬサブフレームは、前記設定されたＵＬサブフレームを基準に最も最近に測定対象になる参照信号を受信したＤＬサブフレームであり、
前記Ｎ個の有効ＤＬサブフレームが、時間領域で異なるＤＬサブフレームである場合、一つのみのＵＬサブフレームが、前記設定されたＵＬサブフレームとして前記異なるＤＬサブフレームに提供される、方法。
【請求項６】
前記数Ｎに関する情報は、ＤＣＩ（Ｄｏｗｎｌｉｎｋ  Ｃｏｎｔｒｏｌ  Ｉｎｆｏｒｍａｔｉｏｎ）またはＲＲＣ（Ｒａｄｉｏ  Ｒｅｓｏｕｒｃｅ  Ｃｏｎｔｒｏｌ）メッセージを介して受信される、請求項５に記載の方法。
【請求項７】
前記数Ｎは、前記端末が測定しなければならない参照信号を含むＤＬサブフレームの数と同じである、請求項５に記載の方法。
【請求項８】
無線信号を送受信するように構成されるＲＦ（Ｒａｄｉｏ  Ｆｒｅｑｕｅｎｃｙ）部と、
前記ＲＦ部に接続されたプロセッサと
を備える端末であって、
前記プロセッサは、参照信号にマッピングされるアップリンク（ＵＬ）チャネルを知らせるマッピング情報を受信することと、前記マッピング情報に基づいて有効ダウンリンク（ＤＬ）サブフレームを決定することと、前記有効ＤＬサブフレームにおいて前記参照信号を測定することと、前記測定に基づいて生成されたチャネル状態情報（ＣＳＩ）を設定されたＵＬサブフレームにおいて転送することとを実行し、前記ＵＬチャネルは、前記設定されたＵＬサブフレームに位置し、前記有効ＤＬサブフレームは、前記ＵＬチャネルにマッピングされる前記参照信号を含むＤＬサブフレームであり、
前記参照信号が、時間領域で異なるＤＬサブフレームに位置する複数の参照信号を含む場合、一つのみのＵＬサブフレームが、前記設定されたＵＬサブフレームとして前記異なるＤＬサブフレームに提供される、端末。
【請求項９】
無線信号を送受信するように構成されるＲＦ（Ｒａｄｉｏ  Ｆｒｅｑｕｅｎｃｙ）部と、
前記ＲＦ部に接続されたプロセッサと
を備える端末であって、
前記プロセッサは、チャネル状態情報（ＣＳＩ）参照資源を構成する有効ダウンリンク（ＤＬ）サブフレームの数Ｎ（Ｎは、１よりも大きい自然数である）に関する情報を受信することと、前記数Ｎに関する情報に基づいてＮ個の有効ＤＬサブフレームを決定することと、前記Ｎ個の有効ＤＬサブフレームにおいて参照信号を測定することと、前記測定に基づいて生成されたＣＳＩを設定されたアップリンク（ＵＬ）サブフレームにおいて転送することとを実行し、前記Ｎ個の有効ＤＬサブフレームは、前記設定されたＵＬサブフレームを基準に最も最近に測定対象になる参照信号を受信したＤＬサブフレームであり、
前記Ｎ個の有効ＤＬサブフレームが、時間領域で異なるＤＬサブフレームである場合、一つのみのＵＬサブフレームが、前記設定されたＵＬサブフレームとして前記異なるＤＬサブフレームに提供される、端末。
【発明の詳細な説明】
【技術分野】
【０００１】
本発明は、無線通信に関し、さらに詳細には、多重ノードシステムにおいて端末がチャネル状態情報を転送する方法及び装置に関する。
【背景技術】
【０００２】
最近、無線通信網のデータ転送量が迅速に増加している。それは、マシン対マシン（Ｍａｃｈｉｎｅ−ｔｏ−Ｍａｃｈｉｎｅ，Ｍ２Ｍ）通信及び高いデータ転送量を要求するスマートフォン、タブレットＰＣなど多様なデバイスの出現及び普及のためである。求められる高いデータ転送量を満たすために、より多くの周波数帯域を效率的に使用する搬送波集成（ｃａｒｒｉｅｒ  ａｇｇｒｅｇａｔｉｏｎ）技術、認知無線（ｃｏｇｎｉｔｉｖｅ  ｒａｄｉｏ）技術などと限定された周波数内でデータ容量を高めるために多重アンテナ技術、多重基地局協力技術などが最近注目されている。
【０００３】
また、無線通信網は、ユーザの周辺にアクセスできるノード（ｎｏｄｅ）の密度が高まる傾向に進化している。ここで、ノードとは、分散アンテナシステム（ｄｉｓｔｒｉｂｕｔｅｄ  ａｎｔｅｎｎａ  ｓｙｓｔｅｍ，ＤＡＳ）において一定間隔以上に離れたアンテナまたはアンテナグループのことを意味する場合もあるが、このような意味に限定されずに、さらに広い意味として使用されることができる。すなわち、ノードは、ピコセル基地局（ＰｅＮＢ）、ホーム基地局（ＨｅＮＢ）、ＲＲＨ（ｒｅｍｏｔｅ  ｒａｄｉｏ  ｈｅａｄ）、ＲＲＵ（ｒｅｍｏｔｅ  ｒａｄｉｏ  ｕｎｉｔ）、中継器などになることができる。このような高い密度のノード付き無線通信システムは、ノード間の協力によりさらに高いシステム性能を見せることができる。すなわち、各ノードが独立的な基地局（Ｂａｓｅ  Ｓｔａｔｉｏｎ（ＢＳ），Ａｄｖａｎｃｅｄ  ＢＳ（ＡＢＳ），Ｎｏｄｅ−Ｂ（ＮＢ），ｅＮｏｄｅ−Ｂ（ｅＮＢ），Ａｃｃｅｓｓ  Ｐｏｉｎｔ（ＡＰ）等）として動作して互いに協力しないときより各ノードが一つの制御局により送受信が管理されて一つのセルに対するアンテナまたはアンテナグループのように動作するならば、はるかに優れたシステム性能を出すことができる。以下、複数のノードを備える無線通信システムを多重ノードシステムと称す。
【０００４】
多重ノードシステムでは、端末に信号を転送するノードが端末別に異なっても良く、複数設定されても良い。このとき、各ノード別に互いに異なる参照信号（ｒｅｆｅｒｅｎｃｅ  ｓｉｇｎａｌ）を転送できる。このとき、端末は、複数の参照信号を利用して、各ノードとの間に対するチャネル状態を測定し、チャネル状態情報を周期的又は非周期的にフィールドバックできる。
【０００５】
周期的チャネル状態情報フィードバックは、上位階層信号を介して半静的に設定される周期、サブフレームオフセット値を利用して行われる。非周期的チャネル状態情報フィードバックは、基地局がアップリンクグラントにトリガー信号を含んで転送すれば、端末が前記アップリンクグラントによりスケジューリングされるアップリンクデータチャネルを介してチャネル状態情報を転送することによって行われる。
【０００６】
従来の周期的／非周期的チャネル状態情報フィードバックにおいて、端末は、規約により決まった一つのサブフレームの参照信号を測定してチャネル状態情報を生成する。チャネル状態情報を生成するための測定の対象になる資源領域を参照資源と称す。例えば、ＣＱＩ（ｃｈａｎｎｅｌ  Ｑｕａｌｉｔｙ  Ｉｎｄｉｃａｔｏｒ）を生成するための測定の対象になる資源領域は、ＣＱＩ参照資源と称すことができる。
【０００７】
ところが、多重ノードシステムでは、端末が複数のサブフレームに位置する参照信号を測定してチャネル状態情報をフィードバックすることが求められることができる。このような場合、従来の参照資源定義では参照資源を正確に特定し難いという問題がある。
【発明の概要】
【課題を解決するための手段】
【０００８】
多重ノードシステムにおけるチャネル状態情報の転送方法及び装置を提供しようとする。
【０００９】
一側面において、端末のチャネル状態情報の転送方法が提供される。前記方法は、参照信号とマッピングされるアップリンクチャネルを知らせるマッピング情報を受信し、前記マッピング情報に基づいて有効ダウンリンクサブフレームを決定し、前記有効ダウンリンクサブフレームにおいて参照信号を測定し、前記測定によって生成されたチャネル状態情報を設定されたアップリンクサブフレームにおいて転送するものの、前記アップリンクチャネルは、前記設定されたアップリンクサブフレームに位置する。
【００１０】
前記有効ダウンリンクサブフレームは、前記アップリンクチャネルにマッピングされる参照信号が存在するダウンリンクサブフレームであることを特徴とする。
【００１１】
前記アップリンクチャネルは、ＰＵＣＣＨ（ｐｈｙｓｉｃａｌ  Ｕｐｌｉｎｋ  Ｃｏｎｔｒｏｌ  Ｃｈａｎｎｅｌ）またはＰＵＳＣＨ（ｐｈｙｓｉｃａｌ  Ｕｐｌｉｎｋ  Ｓｈａｒｅｄ  Ｃｈａｎｎｅｌ）でありうる。
【００１２】
前記アップリンクチャネルがＰＵＣＣＨの場合、前記チャネル状態情報は、周期的に転送されることでありうる。
【００１３】
前記アップリンクチャネルがＰＵＳＣＨの場合、前記チャネル状態情報は、非周期的に転送されることでありうる。
【００１４】
前記参照信号は、複数のダウンリンクサブフレームに位置する複数の参照信号でありうる。
【００１５】
前記設定されたアップリンクサブフレームは、前記複数のダウンリンクサブフレームの各々を基準に互いに異なるサブフレームオフセット値を有する複数のアップリンクサブフレームから構成されることでありうる。
【００１６】
前記設定されたアップリンクサブフレームは、前記複数のダウンリンクサブフレームに対して一つのアップリンクサブフレームとして与えられることができる。
【００１７】
他の側面において、端末のチャネル状態情報の転送方法が提供される。前記方法は、チャネル状態情報参照資源を構成する有効ダウンリンクサブフレームの数Ｎに対した情報を受信し、前記Ｎに対した情報に基づいて、Ｎ個の有効ダウンリンクサブフレームを決定し、前記Ｎ個の有効ダウンリンクサブフレームにおいて参照信号を測定し、前記測定により生成されたチャネル状態情報を設定されたアップリンクサブフレームにおいて転送するものの、前記Ｎ個の有効ダウンリンクサブフレームは、前記設定されたアップリンクサブフレームを基準に最も最近に測定対象になる参照信号を受信したダウンリンクサブフレームであることを特徴とする。
【００１８】
前記Ｎに対した情報は、ダウンリンク制御情報（ｄｏｗｎｌｉｎｋ  Ｃｏｎｔｒｏｌ  ｉｎｆｏｒｍａｔｉｏｎ：  ＤＣＩ）またはＲＲＣ（ｒａｄｉｏ  ｒｅｓｏｕｒｃｅ  ｃｏｎｔｒｏｌ）メッセージを介して受信されることでありうる。
【００１９】
前記Ｎは、前記端末が測定しなければならない参照信号を含むダウンリンクサブフレームの数と同一でありうる。
【００２０】
さらに他の側面において端末が提供される。前記端末は、無線信号を送受信するＲＦ部と、前記ＲＦ部に接続するプロセッサとを備えるものの、前記プロセッサは、参照信号とマッピングされるアップリンクチャネルを知らせるマッピング情報を受信し、前記マッピング情報に基づいて有効ダウンリンクサブフレームを決定し、前記有効ダウンリンクサブフレームにおいて参照信号を測定し、前記測定によって生成されたチャネル状態情報を設定されたアップリンクサブフレームにおいて転送するものの、前記アップリンクチャネルは、前記設定されたアップリンクサブフレームに位置し、前記有効ダウンリンクサブフレームは、前記アップリンクチャネルにマッピングされる参照信号が存在するダウンリンクサブフレームであることを特徴とする。
【００２１】
また、さらに他の側面において提供される端末は、無線信号を送受信するＲＦ部と、前記ＲＦ部に接続するプロセッサとを備えるものの、前記プロセッサは、チャネル状態情報参照資源を構成する有効ダウンリンクサブフレームの数Ｎに対した情報を受信し、前記Ｎに対した情報に基づいてＮ個の有効ダウンリンクサブフレームを決定し、前記Ｎ個の有効ダウンリンクサブフレームにおいて参照信号を測定し、前記測定により生成されたチャネル状態情報を設定されたアップリンクサブフレームにおいて転送するものの、前記Ｎ個の有効ダウンリンクサブフレームは、前記設定されたアップリンクサブフレームを基準に最も最近に測定対象になる参照信号を受信したダウンリンクサブフレームであることを特徴とする。
本明細書は、例えば、以下の項目も提供する。
（項目１）
端末のチャネル状態情報の転送方法であって、
参照信号とマッピングされるアップリンクチャネルを知らせるマッピング情報を受信し、
前記マッピング情報に基づいて有効ダウンリンクサブフレームを決定し、
前記有効ダウンリンクサブフレームにおいて参照信号を測定し、
前記測定によって生成されたチャネル状態情報を設定されたアップリンクサブフレームにおいて転送するものの、
前記アップリンクチャネルは、前記設定されたアップリンクサブフレームに位置し、
前記有効ダウンリンクサブフレームは、前記アップリンクチャネルにマッピングされる参照信号が存在するダウンリンクサブフレームであることを特徴とする方法。
（項目２）
前記アップリンクチャネルは、ＰＵＣＣＨ（ｐｈｙｓｉｃａｌ  Ｕｐｌｉｎｋ  Ｃｏｎｔｒｏｌ  Ｃｈａｎｎｅｌ）またはＰＵＳＣＨ（ｐｈｙｓｉｃａｌ  Ｕｐｌｉｎｋ  Ｓｈａｒｅｄ  Ｃｈａｎｎｅｌ）であることを特徴とする項目１に記載の方法。
（項目３）
前記アップリンクチャネルがＰＵＣＣＨの場合、前記チャネル状態情報は、周期的に転送されることを特徴とする項目２に記載の方法。
（項目４）
前記アップリンクチャネルがＰＵＳＣＨの場合、前記チャネル状態情報は、非周期的に転送されることを特徴とする項目２に記載の方法。
（項目５）
前記参照信号は、複数のダウンリンクサブフレームに位置する複数の参照信号であることを特徴とする項目１に記載の方法。
（項目６）
前記設定されたアップリンクサブフレームは、前記複数のダウンリンクサブフレームの各々を基準に互いに異なるサブフレームオフセット値を有する複数のアップリンクサブフレームから構成されることを特徴とする項目５に記載の方法。
（項目７）
前記設定されたアップリンクサブフレームは、前記複数のダウンリンクサブフレームに対して一つのアップリンクサブフレームとして与えられることを特徴とする項目５に記載の方法。
（項目８）
端末のチャネル状態情報の転送方法であって、
チャネル状態情報参照資源を構成する有効ダウンリンクサブフレームの数Ｎに対した情報を受信し、
前記Ｎに対した情報に基づいて、Ｎ個の有効ダウンリンクサブフレームを決定し、
前記Ｎ個の有効ダウンリンクサブフレームにおいて参照信号を測定し、
前記測定により生成されたチャネル状態情報を設定されたアップリンクサブフレームにおいて転送するものの、
前記Ｎ個の有効ダウンリンクサブフレームは、前記設定されたアップリンクサブフレームを基準に最も最近に測定対象になる参照信号を受信したダウンリンクサブフレームであることを特徴とする方法。
（項目９）
前記Ｎに対した情報は、ダウンリンク制御情報（ｄｏｗｎｌｉｎｋ  Ｃｏｎｔｒｏｌ  ｉｎｆｏｒｍａｔｉｏｎ：  ＤＣＩ）またはＲＲＣ（ｒａｄｉｏ  ｒｅｓｏｕｒｃｅ  ｃｏｎｔｒｏｌ）メッセージを介して受信されることを特徴とする項目８に記載の方法。
（項目１０）
前記Ｎは、前記端末が測定しなければならない参照信号を含むダウンリンクサブフレームの数と同じであることを特徴とする項目８に記載の方法。
（項目１１）
無線信号を送受信するＲＦ部と、
前記ＲＦ部に接続するプロセッサとを備えるものの、
前記プロセッサは、参照信号とマッピングされるアップリンクチャネルを知らせるマッピング情報を受信し、前記マッピング情報に基づいて有効ダウンリンクサブフレームを決定し、前記有効ダウンリンクサブフレームにおいて参照信号を測定し、前記測定によって生成されたチャネル状態情報を設定されたアップリンクサブフレームにおいて転送するものの、前記アップリンクチャネルは、前記設定されたアップリンクサブフレームに位置し、前記有効ダウンリンクサブフレームは、前記アップリンクチャネルにマッピングされる参照信号が存在するダウンリンクサブフレームであることを特徴とする端末。
（項目１２）
無線信号を送受信するＲＦ部と、
前記ＲＦ部に接続するプロセッサとを備えるものの、
前記プロセッサは、チャネル状態情報参照資源を構成する有効ダウンリンクサブフレームの数Ｎに対した情報を受信し、前記Ｎに対した情報に基づいてＮ個の有効ダウンリンクサブフレームを決定し、前記Ｎ個の有効ダウンリンクサブフレームにおいて参照信号を測定し、前記測定により生成されたチャネル状態情報を設定されたアップリンクサブフレームにおいて転送するものの、前記Ｎ個の有効ダウンリンクサブフレームは、前記設定されたアップリンクサブフレームを基準に最も最近に測定対象になる参照信号を受信したダウンリンクサブフレームであることを特徴とする端末。
【発明の効果】
【００２２】
多重ノードシステムにおける各ノードは、互いに異なる参照信号を転送でき、端末に複数のノードが割り当てられることができる。この場合、端末は、複数の参照信号を測定して周期的／非周期的チャネル状態情報をフィードバックしなければならない。このとき、本発明によれば、参照資源を正確に特定できる。したがって、より正確なチャネル状態情報のフィードバックが可能で、その結果、システム性能が向上する。
【図面の簡単な説明】
【００２３】
【図１】図１は、多重ノードシステムの例を示す。
【図２】図２は、３ＧＰＰ  ＬＴＥにおけるＦＤＤ（Ｆｒｅｑｕｅｎｃｙ  Ｄｉｖｉｓｉｏｎ  Ｄｕｐｌｅｘ）無線フレームの構造を示す。
【図３】図３は、３ＧＰＰ  ＬＴＥにおけるＴＤＤ（Ｔｉｍｅ  Ｄｉｖｉｓｉｏｎ  Ｄｕｐｌｅｘ）無線フレーム（ｒａｄｉｏ  ｆｒａｍｅ）構造を示す。
【図４】図４は、一つのダウンリンクスロットに対する資源グリッド（ｒｅｓｏｕｒｃｅ  ｇｒｉｄ）を示した例示図である。
【図５】図５は、ダウンリンクサブフレーム構造の一例を示す。
【図６】図６は、アップリンクサブフレームの構造を示す。
【図７】図７は、資源インデックスと物理的資源のマッピングの一例を示す。
【図８】図８は、ノーマルＣＰにおけるＣＲＳのマッピングを示す。
【図９】図９は、ノーマルＣＰにおけるＣＳＩ−ＲＳ設定０に対するＣＳＩ−ＲＳのマッピングを示す。
【図１０】図１０は、一つの端末が測定しなければならない複数のＣＳＩ−ＲＳを例示する。
【図１１】図１１は、同一のサブフレームにおいて転送される複数のＣＳＩ−ＲＳが同一端末に設定される例を示す。
【図１２】図１２は、端末の周期的ＣＳＩ転送方法の第１の実施形態を示す。
【図１３】図１３は、端末の周期的ＣＳＩ転送方法の第２の実施形態を示す。
【図１４】図１４は、ＣＱＩ参照資源定義の第１例を使用する場合、端末のＣＳＩフィードバック方法の一例を示す。
【図１５】図１５は、端末の周期的ＣＳＩ転送方法の第３の実施形態を示す。
【図１６】図１６は、ＣＱＩ参照資源定義の第２例を使用する場合、端末のＣＳＩフィードバック方法の一例を示す。
【図１７】図１７は、端末の非周期的ＣＳＩ転送方法の第１の実施形態を示す。
【図１８】図１８は、端末の非周期的ＣＳＩ転送方法の第２の実施形態を示す。
【図１９】図１９は、端末の非周期的ＣＳＩ転送方法の第３の実施形態を示す。
【図２０】図２０は、基地局及び端末を示すブロック図である。
【発明を実施するための形態】
【００２４】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）などのような多様な多重接続方式（ｍｕｌｔｉｐｌｅ  ａｃｃｅｓｓ  ｓｃｈｅｍｅ）に使用されることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）により具現化されることができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術により具現化されることができる。ＯＦＤＭＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１（Ｗｉ−Ｆｉ）、ＩＥＥＥ  ８０２．１６（ＷｉＭＡＸ）、ＩＥＥＥ  ８０２．２０、Ｅ−ＵＴＲＡ（Ｅｖｏｌｖｅｄ  ＵＴＲＡ）などのような無線技術により具現化されることができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）は、Ｅ−ＵＴＲＡを使用するＥ−ＵＭＴＳ（Ｅｖｏｌｖｅｄ  ＵＭＴＳ）の一部であって、ダウンリンクにおいてＯＦＤＭＡを採用しアップリンクにおいてＳＣ−ＦＤＭＡを採用する。ＬＴＥ−Ａ（Ａｄｖａｎｃｅｄ）は、ＬＴＥの進化である。
【００２５】
図１は、多重ノードシステムの例を示す。
【００２６】
図１に示すように、多重ノードシステムは、基地局及び複数のノードを備える。
【００２７】
図１において、ノードは、マクロ基地局、ピコセル基地局（ＰｅＮＢ）、ホーム基地局（ＨｅＮＢ）、ＲＲＨ（ｒｅｍｏｔｅ  ｒａｄｉｏ  ｈｅａｄ）、中継器、分散されたアンテナなどを意味できる。このようなノードは、ポイント（ｐｏｉｎｔ）とも称す。
【００２８】
多重ノードシステムにおいて、すべてのノードが一つの基地局コントローラにより送受信が管理されて個別ノードが一つのセルの一部のように動作すれば、このシステムは、一つのセルを形成する分散アンテナシステム（ｄｉｓｔｒｉｂｕｔｅｄ  ａｎｔｅｎｎａ  ｓｙｓｔｅｍ、ＤＡＳ）システムと見なすことができる。分散アンテナシステムにおいて個別ノードは、別途のノードＩＤが付与されても良く、別途のノードＩＤなしでセル内の一部アンテナ集団のように動作しても良い。換言すれば、分散アンテナシステム（ｄｉｓｔｒｉｂｕｔｅｄ  ａｎｔｅｎｎａ  ｓｙｓｔｅｍ、ＤＡＳ）は、アンテナ（すなわちノード）がセル（ｃｅｌｌ）内の多様な位置に分散して配置され、このようなアンテナを基地局が管理するシステムを意味する。分散アンテナシステムは、従来の集中アンテナシステム（Ｃｅｎｔｒａｌｉｚｅｄ  ａｎｔｅｎｎａ  ｓｙｓｔｅｍ，ＣＡＳ）において基地局のアンテナがセルの中央に集中して配置される点と差がある。
【００２９】
多重ノードシステムにおいて個別ノードが個別的なセルＩＤを有し、スケジューリング及びハンドオーバを行う場合、多重セル（例えば、マクロセル／フェムトセル／ピコセル）システムと見なすことができる。このような多重セルがカバレッジによって重なる形態で構成される場合、これを多重階層ネットワーク（ｍｕｌｔｉ−ｔｉｅｒ  ｎｅｔｗｏｒｋ）と称す。
【００３０】
図２は、３ＧＰＰ  ＬＴＥにおけるＦＤＤ（Ｆｒｅｑｕｅｎｃｙ  Ｄｉｖｉｓｉｏｎ  Ｄｕｐｌｅｘ）無線フレームの構造を示す。このような無線フレーム構造をフレーム構造タイプ１と称す。
【００３１】
図２に示すように、ＦＤＤ無線フレーム（ｒａｄｉｏ  ｆｒａｍｅ）は、１０個のサブフレーム（ｓｕｂｆｒａｍｅ）から構成され、一つのサブフレームは、２個の連続するスロット（ｓｌｏｔ）で定義される。一つのサブフレームが転送されるのにかかる時間をＴＴＩ（ｔｒａｎｓｍｉｓｓｉｏｎ  ｔｉｍｅ  ｉｎｔｅｒｖａｌ）という。無線フレームの時間長Ｔｆ＝３０７２００＊Ｔｓ＝１０ｍｓであり、２０個のスロットから構成される。スロットの時間長Ｔｓｌｏｔ＝１５３６０＊Ｔｓ＝０．５ｍｓであり、０から１９でナンバリングされる。各ノードまたは基地局が端末に信号を転送するダウンリンクと端末が各ノードまたは基地局に信号を転送するアップリンクは、周波数領域で区分される。
【００３２】
図３は、３ＧＰＰ  ＬＴＥにおけるＴＤＤ（Ｔｉｍｅ  Ｄｉｖｉｓｉｏｎ  Ｄｕｐｌｅｘ）無線フレーム（ｒａｄｉｏ  ｆｒａｍｅ）構造を示す。このような無線フレーム構造をフレーム構造タイプ２と称す。
【００３３】
図３に示すように、ＴＤＤ無線フレームは、１０ｍｓの長さを有し５ｍｓの長さを有する二つのハーフフレーム（ｈａｌｆ−ｆｒａｍｅ）から構成される。また、一つのハーフフレームは、１ｍｓの長さを有する５個のサブフレームから構成される。一つのサブフレームは、アップリンクサブフレーム（ＵＬ  ｓｕｂｆｒａｍｅ）、ダウンリンクサブフレーム（ＤＬ  ｓｕｂｆｒａｍｅ）、特殊サブフレーム（ｓｐｅｃｉａＬ  ｓｕｂｆｒａｍｅ）のうちの何れか一つに指定される。一つの無線フレームは、少なくとも一つのアップリンクサブフレームと少なくとも一つのダウンリンクサブフレームとを含む。一つのサブフレームは、２個の連続するスロット（ｓｌｏｔ）で定義される。例えば、一つのサブフレームの長さは１ｍｓで、一つのスロットの長さは０．５ｍｓでありうる。
【００３４】
特殊サブフレームは、アップリンクサブフレームとダウンリンクサブフレームとの間でアップリンク及びダウンリンクを分離させる特定区間（ｐｅｒｉｏｄ）である。一つの無線フレームには、少なくとも一つの特殊サブフレームが存在し、特殊サブフレームは、ＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）を含む。ＤｗＰＴＳは、初期セルサーチ、同期化またはチャネル推定に使用される。ＵｐＰＴＳは、基地局でのチャネル推定と端末の上向き転送同期を合せるのに使用される。保護区間は、アップリンクとダウンリンクとの間にダウンリンク信号の多重経路遅延によりアップリンクにおいて生じる干渉を除去するための区間である。
【００３５】
ＦＤＤ及びＴＤＤ無線フレームにおける一つのスロットは、時間領域（ｔｉｍｅ  ｄｏｍａｉｎ）で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域で多数の資源ブロック（ｒｅｓｏｕｒｃｅ  ｂｌｏｃｋ、ＲＢ）を含む。ＯＦＤＭシンボルは、３ＧＰＰ  ＬＴＥがダウンリンクにおいてＯＦＤＭＡを使用するので、一つのシンボル区間（ｓｙｍｂｏｌ  ｐｅｒｉｏｄ）を表現するためのものであって、多重接続方式によって、ＳＣ−ＦＤＭＡシンボルのように他の用語として呼ばれることができる。資源ブロックは資源割り当ての単位であり、一つのスロットにおいて複数の連続する副搬送波を含む。
【００３６】
無線フレームの構造は例示に過ぎず、無線フレームに含まれるサブフレームの数またはサブフレームに含まれるスロットの数、スロットに含まれるＯＦＤＭシンボルの数は多様に変更できる。
【００３７】
図４は、一つのダウンリンクスロットに対する資源グリッドを示した例示図である。
【００３８】
図４に示すように、一つのダウンリンクスロットは、時間領域（ｔｉｍｅ  ｄｏｍａｉｎ）において複数のＯＦＤＭシンボルを含む。ここで、一つのダウンリンクスロットは、７  ＯＦＤＭＡシンボルを含み、一つの資源ブロック（ＲＢ）は、周波数領域において１２副搬送波（ｓｕｂｃａｒｒｉｅｒ）を含むことを例示的に述べるが、これに制限されるものではない。
【００３９】
資源グリッド上の各要素（ｅｌｅｍｅｎｔ）を資源要素（ｒｅｓｏｕｒｃｅ  ｅｌｅｍｅｎｔ）とし、一つの資源ブロック（ＲＢ）は、１２×７個の資源要素を含む。ダウンリンクスロットに含まれる資源ブロックの数ＮＤＬは、セルにおいて設定されるダウンリンク転送帯域幅（ｂａｎｄｗｉｄｔｈ）に従属する。上述したダウンリンクスロットに対する資源グリッドは、アップリンクスロットにも適用されることができる。
【００４０】
図５は、ダウンリンクサブフレーム構造の一例を示す。
【００４１】
図５に示すように、サブフレームは、連続する２個のスロットを含む。サブフレーム内の第１番目のスロットの先の最大３  ＯＦＤＭシンボルがダウンリンク制御チャネルが割り当てられる制御領域（ｃｏｎｔｒｏｌ  ｒｅｇｉｏｎ）で、残りのＯＦＤＭシンボルは、ＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域になることができる。
【００４２】
ダウンリンク制御チャネルには、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などが含まれる。サブフレームの第１番目のＯＦＤＭシンボルにおいて転送されるＰＣＦＩＣＨは、サブフレーム内で制御チャネルの転送に使用されるＯＦＤＭシンボルの数（すなわち、制御領域の大きさ）に関する情報を運ぶ。ＰＤＣＣＨを介して転送される制御情報をダウンリンク制御情報（ｄｏｗｎｌｉｎｋ  Ｃｏｎｔｒｏｌ  ｉｎｆｏｒｍａｔｉｏｎ、以下、ＤＣＩとする）という。ＤＣＩは、アップリンク資源割り当て情報、ダウンリンク資源割り当て情報及び任意のＵＥグループに対するアップリンク転送パワー制御命令（Ｔｒａｎｓｍｉｔ  Ｐｏｗｅｒ  Ｃｏｎｔｒｏｌ  Ｃｏｍｍａｎｄ）などを含む。ＤＣＩは、多様なフォーマットを有する。ＤＣＩフォーマット０は、ＰＵＳＣＨスケジューリングのために使用される。
【００４３】
ＤＣＩフォーマット０を介して転送される情報（フィールド）は、次の通りである。
【００４４】
１）ＤＣＩフォーマット０とＤＣＩフォーマット１Ａを区分するためのフラグ（０であるとＤＣＩフォーマット０を指し示し、１であるとＤＣＩフォーマット１Ａを指し示す）、２）ホッピングフラグ（１ビット）、３）資源ブロック指定及びホッピング資源割り当て、４）変調及びコーディングスキーム及びリダンダンシーバージョン（ｒｅｄｕｎｄａｎｃｙ  ｖｅｒｓｉｏｎ）（５ビット）、５）新しいデータ指示子（１ビット）、６）スケジューリングされたＰＵＳＣＨに対したＴＰＣ命令（２ビット）、７）ＤＭ−ＲＳのための循環シフト（３ビット）、８）ＵＬインデックス、９）ダウンリンク指定インデックス（ＴＤＤにのみ）、１０）ＣＱＩ要請（ＣＱＩ  ｒｅｑｕｅｓｔ）などである。仮に、ＤＣＩフォーマット０において情報ビットの数がＤＣＩフォーマット１Ａのペイロードサイズより小さな場合には、ＤＣＩフォーマット１Ａがペイロードサイズと同一になるように「０」がパッド（ＰＡＤ）される。
【００４５】
ＤＣＩフォーマット１は、一つのＰＤＳＣＨコードワードスケジューリングに使用される。ＤＣＩフォーマット１Ａは、一つのＰＤＳＣＨコードワードの簡単な（ｃｏｍｐａｃｔ）スケジューリングまたはランダムアクセス過程に使用される。ＤＣＩフォーマット１Ｂは、プレコード情報を含んで一つのＰＤＳＣＨコードワードに対する簡単なスケジューリングに使用される。ＤＣＩフォーマット１Ｃは、一つのＰＤＳＣＨコードワードに対する非常に簡単なスケジューリング（ｖｅｒｙ  ｃｏｍｐａｃｔ  ｓｃｈｅｄｕｌｉｎｇ）に使用される。ＤＣＩフォーマット１Ｄは、プレコード及び電力オフセット情報を含み、一つのＰＤＳＣＨコードワードに対する簡単なスケジューリングに使用される。ＤＣＩフォーマット２は、閉ループＭＩＭＯ動作のためのＰＤＳＣＨ指定のために使用される。ＤＣＩフォーマット２Ａは、開放ループＭＩＭＯ動作のためのＰＤＳＣＨ指定のために使用される。ＤＣＩフォーマット３は、２ビットの電力調整によりＰＵＣＣＨ及びＰＵＳＣＨに対したＴＰＣ命令を転送するために使用される。ＤＣＩフォーマット３Ａは、１ビットの電力調整によりＰＵＣＣＨ及びＰＵＳＣＨに対したＴＰＣ命令を転送するために使用される。
【００４６】
ＰＨＩＣＨは、アップリンクデータのＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｏｔ−Ａｃｋｎｏｗｌｅｄｇｅｍｅｎｔ）信号を運ぶ。すなわち、端末が転送したアップリンクデータに対するＡＣＫ／ＮＡＣＫ信号は、ＰＨＩＣＨ上へ基地局により転送される。
【００４７】
ＰＤＳＣＨは、制御情報及び／またはデータが転送されるチャネルである。端末は、ＰＤＣＣＨを介して転送される制御情報をデコードして、ＰＤＳＣＨを介して転送されるデータを読むことができる。
【００４８】
図６は、アップリンクサブフレームの構造を示す。
【００４９】
アップリンクサブフレームは、周波数領域において制御領域とデータ領域とに分けられることができる。制御領域には、アップリンク制御情報（ｕｐｌｉｎｋ  ｃｏｎｔｒｏｌ  ｉｎｆｏｒｍａｔｉｏｎ、ＵＣＩ）が転送されるためのＰＵＣＣＨ（Ｐｈｙｓｉｃａｌ  Ｕｐｌｉｎｋ  Ｃｏｎｔｒｏｌ  Ｃｈａｎｎｅｌ）が割り当てられる。データ領域は、アップリンクデータ及び／またはアップリンク制御情報が転送されるためのＰＵＳＣＨ（Ｐｈｙｓｉｃａｌ  Ｕｐｌｉｎｋ  Ｓｈａｒｅｄ  Ｃｈａｎｎｅｌ）が割り当てられる。このような意味において制御領域は、ＰＵＣＣＨ領域と称すことができ、データ領域は、ＰＵＳＣＨ領域と称すことができる。上位階層により指示される設定情報に応じて、端末は、ＰＵＳＣＨとＰＵＣＣＨの同時転送を支援するか、またはＰＵＳＣＨとＰＵＣＣＨの同時転送を支援しない。
【００５０】
ＰＵＳＣＨは、転送チャネル（ｔｒａｎｓｐｏｒｔ  ｃｈａｎｎｅｌ）であるＵＬ−ＳＣＨ（Ｕｐｌｉｎｋ  Ｓｈａｒｅｄ  Ｃｈａｎｎｅｌ）にマッピングされる。ＰＵＳＣＨ上へ転送されるアップリンクデータは、ＴＴＩの間に転送されるＵＬ−ＳＣＨのためのデータブロックである転送ブロック（ｔｒａｎｓｐｏｒｔ  ｂｌｏｃｋ）でありうる。前記転送ブロックは、ユーザ情報でありうる。または、アップリンクデータは、多重化された（ｍｕｌｔｉｐｌｅｘｅｄ）データでありうる。多重化されたデータは、ＵＬ−ＳＣＨのための転送ブロックとアップリンク制御情報が多重化されたことでありうる。例えば、アップリンクデータに多重化されるアップリンク制御情報には、ＣＱＩ（ｃｈａｎｎｅｌ  ｑｕａｌｉｔｙ  ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＨＡＲＱ（ｈｙｂｒｉｄ  Ａｕｔｏｍａｔｉｃ  Ｒｅｐｅａｔ  Ｒｅｑｕｅｓｔ）、ＡＣＫ／ＮＡＣＫ（ａｃｋｎｏｗｌｅｄｇｅｍｅｎｔ／ｎｏｔ−ａｃｋｎｏｗｌｅｄｇｅｍｅｎｔ）、ＲＩ（Ｒａｎｋ  Ｉｎｄｉｃａｔｏｒ）、ＰＴＩ（ｐｒｅｃｏｄｉｎｇ  ｔｙｐｅ  ｉｎｄｉｃａｔｉｏｎ）などがありうる。このようにアップリンク制御情報がまたはアップリンクデータと共にデータ領域より転送されるのをＵＣＩのピギーバック（ｐｉｇｇｙｂａｃｋ）転送という。ＰＵＳＣＨでは、アップリンク制御情報だけが転送されることができる。
【００５１】
一つの端末に対するＰＵＣＣＨは、サブフレームにおいて資源ブロック対（ＲＢ  ｐａｉｒ）として割り当てられる。資源ブロック対に属する資源ブロックは、第１スロットと第２スロットのそれぞれにおいて互いに異なる副搬送波を占める。ＰＵＣＣＨに割り当てられる資源ブロック対に属する資源ブロックが占める周波数は、スロット境界（ｓｌｏｔ  ｂｏｕｎｄａｒｙ）を基準に変更される。これをＰＵＣＣＨに割り当てられるＲＢ対がスロットの境界で周波数がホッピング（ｆｒｅｑｕｅｎｃｙ−ｈｏｐｐｅｄ）されたと呼ぶ。端末がアップリンク制御情報を時間に応じて互いに異なる副搬送波を介して転送することによって、周波数ダイバーシティ（ｄｉｖｅｒｓｉｔｙ）利得を得ることができる。
【００５２】
ＰＵＣＣＨは、フォーマット（ｆｏｒｍａｔ）に応じて多様な種類の制御情報を運ぶ。ＰＵＣＣＨフォーマット１は、スケジューリング要請（ＳＲ；  Ｓｃｈｅｄｕｌｉｎｇ  Ｒｅｑｕｅｓｔ）を運ぶ。このとき、（Ｏｎ−Ｏｆｆ  Ｋｅｙｉｎｇ）方式が適用されることができる。ＰＵＣＣＨフォーマット１ａは、一つのコードワード（ｃｏｄｅｗｏｒｄ）に対してＢＰＳＫ（Ｂｉｔ  Ｐｈａｓｅ  Ｓｈｉｆｔ  Ｋｅｙｉｎｇ）方式で変調されたＡＣＫ／ＮＡＣＫ（Ａｃｋｎｏｗｌｅｄｇｅｍｅｎｔ／Ｎｏｎ−Ａｃｋｎｏｗｌｅｄｇｅｍｅｎｔ）を運ぶ。ＰＵＣＣＨフォーマット１ｂは、２個のコードワードに対してＱＰＳＫ（Ｑｕａｄｒａｔｕｒｅ  Ｐｈａｓｅ  Ｓｈｉｆｔ  Ｋｅｙｉｎｇ）方式で変調されたＡＣＫ／ＮＡＣＫを運ぶ。ＰＵＣＣＨフォーマット２は、ＱＰＳＫ方式で変調されたＣＱＩ（Ｃｈａｎｎｅｌ  Ｑｕａｌｉｔｙ  Ｉｎｄｉｃａｔｏｒ）を運ぶ。ＰＵＣＣＨフォーマット２ａと２ｂは、ＣＱＩとＡＣＫ／ＮＡＣＫを運ぶ。ＰＵＣＣＨフォーマット３は、ＱＰＳＫ方式で変調され、複数のＡＣＫ／ＮＡＣＫ、ＳＲを運ぶことができる。
【００５３】
各ＰＵＣＣＨフォーマットは、ＰＵＣＣＨ領域にマッピングされて転送される。例えば、ＰＵＣＣＨフォーマット２／２ａ／２ｂは、端末に割り当てられた帯域エッジの資源ブロック（図６においてｍ＝０，１）にマッピングされて転送される。混合ＰＵＣＣＨ資源ブロック（ｍｉｘｅｄ  ＰＵＣＣＨ  ＲＢ）は、前記ＰＵＣＣＨフォーマット２／２ａ／２ｂが割り当てられる資源ブロックに前記帯域の中心方向に隣接した資源ブロック（例えば、ｍ＝２）にマッピングされて転送されることができる。ＳＲ、ＡＣＫ／ＮＡＣＫが転送されるＰＵＣＣＨフォーマット１／１ａ／１ｂは、ｍ＝４またはｍ＝５の資源ブロックに配置されることができる。ＣＱＩが転送されるＰＵＣＣＨフォーマット２／２ａ／２ｂに使用されうる資源ブロックの数（Ｎ（２）ＲＢ）は、ブロードキャストされる信号を介して端末に指示されることができる。
【００５４】
すべてのＰＵＣＣＨフォーマットは、各ＯＦＤＭシンボルにおいてシーケンスの循環シフト（ｃｙｃｌｉｃ  ｓｈｉｆｔ、ＣＳ）を使用する。循環シフトされたシーケンスは、基本シーケンス（ｂａｓｅ  ｓｅｑｕｅｎｃｅ）を特定ＣＳ量（ｃｙｃｌｉｃ  ｓｈｉｆｔ  ａｍｏｕｎｔ）だけ循環シフトさせて生成される。特定ＣＳ量は、循環シフトインデックス（ＣＳ  ｉｎｄｅｘ）により指示される。
【００５５】
基本シーケンスｒｕ（ｎ）を定義した一例は、次の式のとおりである。
【００５６】
【数１】
0005764717.tif 000002
式中、ｕは、ルートインデックス（ｒｏｏｔ  ｉｎｄｅｘ）、ｎは、要素インデックスであって、０＝ｎ＝Ｎ−１、Ｎは、基本シーケンスの長さである。ｂ（ｎ）は、３ＧＰＰ  ＴＳ  ３６．２１１  Ｖ８．７．０の５．５節で定義されている。
【００５７】
シーケンスの長さは、シーケンスに含まれる要素（ｅｌｅｍｅｎｔ）の数と同一である。ｕは、セルＩＤ（ｉｄｅｎｔｉｆｉｅｒ）、無線フレーム内のスロット番号などにより決まることができる。基本シーケンスが周波数領域において一つの資源ブロックにマッピング（ｍａｐｐｉｎｇ）されるとする場合、一つの資源ブロックが１２副搬送波を含むので、基本シーケンスの長さＮは１２になる。他のルートインデックスに応じて異なる基本シーケンスが定義される。
【００５８】
基本シーケンスｒ（ｎ）を次の式２のように循環シフトさせて、循環シフトされたシーケンスｒ（ｎ、Ｉｃｓ）を生成できる。
【００５９】
【数２】
0005764717.tif 000003
ここで、Ｉｃｓは、ＣＳ量を表す循環シフトインデックスである（０≦Ｉｃｓ≦Ｎ−１）。
【００６０】
基本シーケンスの可用（ａｖａｉｌａｂｌｅ）循環シフトインデックスは、ＣＳ間隔（ＣＳ  ｉｎｔｅｒｖａｌ）に応じて基本シーケンスから得る（ｄｅｒｉｖｅ）ことのできる循環シフトインデックスのことを言う。例えば、基本シーケンスの長さが１２で、ＣＳ間隔が１であると、基本シーケンスの可用循環シフトインデックスの総数は１２になる。または、基本シーケンスの長さが１２で、ＣＳ間隔が２であると、基本シーケンスの可用循環シフトインデックスの総数は６になる。直交シーケンスインデックスｉ、循環シフトインデックスＩｃｓ及び資源ブロックインデックスｍは、ＰＵＣＣＨを構成するために必要なパラメーターで、かつＰＵＣＣＨ（または端末）を区分するのに使用される資源である。
【００６１】
３ＧＰＰ  ＬＴＥでは、端末がＰＵＣＣＨを構成するための前記３個のパラメーターを獲得するために、資源インデックス（ＰＵＣＣＨ資源インデックスとも称す）ｎ（１）ＰＵＵＣＨ、ｎ（２）ＰＵＵＣＨが定義される。ここで、ｎ（１）ＰＵＵＣＨは、ＰＵＣＣＨフォーマット１／１ａ／１ｂのための資源インデックスで、ｎ（２）ＰＵＵＣＨは、ＰＵＣＣＨフォーマット２／２ａ／２ｂのための資源インデックスである。資源インデックスｎ（１）ＰＵＵＣＨ＝ｎＣＣＥ＋Ｎ（１）ＰＵＵＣＨで定義されるが、ｎＣＣＥは、対応するＤＣＩ（すなわち、ＡＣＫ／ＮＡＣＫ信号に対応するダウンリンクデータの受信に使用されたダウンリンク資源割り当て）の転送に使用される第１番目のＣＣＥの番号で、Ｎ（１）ＰＵＵＣＨは、基地局が端末に上位階層メッセージを介して知らせるパラメーターである。さらに具体的には、以下のとおりである。
【００６２】
【化１】
0005764717.tif 000004
ｎ（２）ＰＵＵＣＨは、端末特定的に与えられ、半静的にＲＲＣのような上位階層信号により設定される。ＬＴＥにおいてｎ（２）ＰＵＵＣＨは、「ＣＱＩ−ＲｅｐｏｒｔＣｏｎｆｉｇ」というＲＲＣメッセージに含まれる。
【００６３】
端末は、資源インデックスｎ（１）ＰＵＵＣＨ、ｎ（２）ＰＵＵＣＨを利用して直交シーケンスインデックス、循環シフトインデックスなどを決定する。
【００６４】
端末は、資源インデックスにマッピングされる物理的資源を利用してＰＵＣＣＨを転送する。
【００６５】
図７は、資源インデックスと物理的資源のマッピングの一例を示す。
【００６６】
端末は、資源インデックスに基づいて資源ブロックインデックスｍを計算し、ＰＵＣＣＨフォーマットに応じて物理的資源を割り当てた後ＰＵＣＣＨを転送する。各端末別に割り当てられる資源インデックスとマッピングされる物理的資源ブロックとの間には、次のような関係がある。
【００６７】
【化２】
0005764717.tif 000005
多重ノードシステムにおいて、各ノード別にまたはノードグループ別に互いに異なる参照信号を転送できる。まず、参照信号について説明する。
【００６８】
ＬＴＥ  Ｒｅｌ−８では、チャネル測定とＰＤＳＣＨに対したチャネル推定のために、ＣＲＳ（ｃｅｌｌ  ｓｐｅｃｉｆｉｃ  ｒｅｆｅｒｅｎｃｅ  ｓｉｇｎａｌ）を使用する。
【００６９】
図８は、ノーマルＣＰにおけるＣＲＳのマッピングを示す。
【００７０】
図８に示すように、複数のアンテナを使用する多重アンテナ転送の場合、各アンテナごとに資源グリッドが存在し、各アンテナのための少なくとも一つの参照信号が各々の資源グリッドにマッピングされることができる。各アンテナ別参照信号は参照シンボルから構成されるが、図８においてＲｐは、アンテナポートｐの参照シンボルを示す（ｐ∈｛０，１，２，３｝）。Ｒ０ないしＲ３は、互いに重複する資源要素にマッピングされない。
【００７１】
一つのＯＦＤＭシンボルにおいて、各Ｒｐは、６副搬送波間隔で位置できる。サブフレーム内のＲ０の数とＲ１の数は同一で、Ｒ２の数とＲ３の数は同一である。サブフレーム内のＲ２、Ｒ３の数は、Ｒ０、Ｒ１の数より少ない。Ｒｐは、ｐ番アンテナを除いた他のアンテナを介しては、如何なる転送にも使用されない。
【００７２】
ＬＴＥ−Ａでは、チャネル測定、ＰＤＳＣＨに対したチャネル推定のためにＣＲＳと別途にＣＳＩ−ＲＳ（ｃｈａｎｎｅｌ  ｓｔａｔｕｓ  ｉｎｆｏｒｍａｔｉｏｎ  ｒｅｆｅｒｅｎｃｅ  ｓｉｇｎａｌ）が使用されることができる。以下、ＣＳＩ−ＲＳについて説明する。
【００７３】
ＣＳＩ−ＲＳは、ＣＲＳとは異なり、異種ネットワーク環境を含む多重セル環境においてセル間干渉（ｉｎｔｅｒ−ｃｅｌｌ  ｉｎｔｅｒｆｅｒｅｎｃｅ、ＩＣＩ）を減らすために、最大３２通りの互いに異なる設定が存在する。
【００７４】
ＣＳＩ−ＲＳに対する設定は、セル内のアンテナポート数に応じて互いに異なり、隣接セル間に最大限互いに異なる設定になるように与えられる。ＣＳＩ−ＲＳは、ＣＰタイプによって区分され、フレーム構造タイプ（フレーム構造タイプ１は、ＦＤＤ、フレーム構造タイプ２は、ＴＤＤ）によってフレーム構造タイプ１、フレーム構造タイプ２に全部適用される設定と、フレーム構造タイプ２にのみ適用される設定とに区分される。
【００７５】
ＣＳＩ−ＲＳは、ＣＲＳとは異なり、最大８アンテナポートまで支援し、アンテナポートｐは、｛１５｝、｛１５，１６｝、｛１５，１６，１７，１８｝、｛１５，．．．，２２｝が支援される。すなわち、１個、２個、４個、８個のアンテナポートを支援する。副搬送波間の間隔Δｆは、１５ｋＨｚに対してのみ定義される。
【００７６】
ＣＳＩ−ＲＳに対するシーケンスｒｌ，ｎｓ（ｍ）は、次の式のように生成される。
【００７７】
【数３】
0005764717.tif 000006
前記式３中、ｎｓは、無線フレーム内でスロットナンバーで、ｌは、スロット内でのＯＦＤＭシンボルナンバーである。ｃ（ｉ）は、疑似ランダムシーケンス（ｐｓｅｕｄｏ  ｒａｎｄｏｍ  ｓｅｑｕｅｎｃｅ）であり、ｃｉｎｉｔとして各ＯＦＤＭシンボルから始まる。ＮＩＤｃｅｌｌは、物理階層セルＩＤを意味する。
【００７８】
ＣＳＩ−ＲＳを転送するように設定されたサブフレームにおいて、参照信号シーケンスｒｌ，ｎｓ（ｍ）は、アンテナポートｐに対した参照シンボルとして使用される複素値変調シンボルａｋ，ｌ（ｐ）にマッピングされる。
【００７９】
ｒｌ，ｎｓ（ｍ）とａｋ，ｌ（ｐ）の関係は、次の式のとおりである。
【００８０】
【数４】
0005764717.tif 000007
前記式４中、（ｋ’，ｌ’）とｎｓは、後述する表１及び表２において与えられる。ＣＳＩ−ＲＳは、（ｎｓ  ｍｏｄ  ２）が後述する表１及び表２の条件を満たすダウンリンクスロットにおいて転送されることができる（ｍｏｄは、モジュラー演算を意味する。すなわち、２でｎｓを割り算をした残りを意味する）。
【００８１】
次の表は、ノーマルＣＰに対したＣＳＩ−ＲＳ設定を示す。
【００８２】
【表１】
0005764717.tif 000008
次の表は、拡張ＣＰに対したＣＳＩ−ＲＳ設定を示す。
【００８３】
【表２】
0005764717.tif 000009
ＣＳＩ−ＲＳを含むサブフレームは、次の式を満たさなければならない。
【００８４】
【数５】
0005764717.tif 000010
また、ＣＳＩ−ＲＳは、次の表３の条件を満たすサブフレームにおいて転送されることができる。
【００８５】
次の表３は、デューティーサイクルと関連したＣＳＩ−ＲＳサブフレーム設定を示す。ｎｆは、システムフレームナンバーである。
【００８６】
【表３】
0005764717.tif 000011
前記表３において「ＣＳＩ−ＲＳ−ＳｕｂｆｒａｍｅＣｏｎｆｉｇ」すなわち、ＩＣＳＩ−ＲＳは、上位階層により与えられる値であって、ＣＳＩ−ＲＳサブフレーム設定を示す。ＴＣＳＩ−ＲＳは、セル特定的サブフレーム設定周期を示し、ΔＣＳＩ−ＲＳは、セル特定的サブフレームオフセットを示す。ＣＳＩ−ＲＳは、ＣＱＩ／ＣＳＩフィードバックに応じて５種類のデューティーサイクルを支援し、各セルにおいて互いに異なるサブフレームオフセットを有して転送されることができる。
【００８７】
図９は、ノーマルＣＰにおけるＣＳＩ−ＲＳ設定０に対するＣＳＩ−ＲＳのマッピングを示す。
【００８８】
図９に示すように、２個のアンテナポート、例えば、ｐ＝｛１５，１６｝，｛１７，１８｝，｛１９，２０｝，｛２１，２２｝に対して連続する２個の同じ資源要素を使用してＣＳＩ−ＲＳを転送するものの、ＯＣＣ（Ｏｒｔｈｏｇｏｎａｌ  Ｃｏｖｅｒ  Ｃｏｄｅ）を使用して転送する。各ＣＳＩ−ＲＳは、ＣＳＩ−ＲＳ設定に応じて無線資源領域において特定パターンを有して割り当てられる。かかる意味で、ＣＳＩ−ＲＳをＣＳＩ−ＲＳパターンとも呼ぶ。
【００８９】
複数のＣＳＩ−ＲＳ設定が与えられたセルにおいて使用できるが、端末がｎｏｎ−ｚｅｒｏ転送電力を仮定する一つのＣＳＩ−ＲＳ設定と端末がｚｅｒｏ転送電力を仮定するＣＳＩ−ＲＳ設定を一つ以上またはないように設定できる。
【００９０】
ＣＳＩ−ＲＳは、次の場合に転送されない。
【００９１】
１．フレーム構造タイプ２の特別サブフレーム（ｓｐｅｃｉａＬ  ｓｕｂｆｒａｍｅ）
２．同期化信号、ＰＢＣＨ、ＳＩＢと衝突する場合
３．ページングメッセージが転送されるサブフレーム
集合Ｓの任意のアンテナポートに対するＣＳＩ−ＲＳの転送に使用される資源要素（ｋ，ｌ）は、同一スロットにおいて任意のアンテナポートに対するＰＤＳＣＨの転送に使用されない。また、前記資源要素（ｋ，ｌ）は、同一スロットにおいて前記Ｓを除いた他の任意のアンテナポートに対するＣＳＩ−ＲＳ転送に使用されない。ここで、集合Ｓに含まれるアンテナポートは、｛１５，１６｝，｛１７，１８｝，｛１９，２０｝，｛２１，２２｝である。
【００９２】
上述したＣＳＩ−ＲＳの転送に必要なパラメーターは、１．ＣＳＩ−ＲＳポートナンバー、２．ＣＳＩ−ＲＳ設定情報、３．ＣＳＩ−ＲＳサブフレーム設定（ＩＣＳＩ−ＲＳ）、４．サブフレーム設定周期（ＴＣＳＩ−ＲＳ）、５．サブフレームオフセットΔＣＳＩ−ＲＳ等であり、このようなパラメーターはセル特定的で、上位階層シグナルリングを介して与えられる。
【００９３】
基地局は、上述したＣＲＳ、ＣＳＩ−ＲＳのような参照信号を多重ノードシステムにおいて端末が各ノードを識別できるように適用できる。
【００９４】
端末は、参照信号を測定してチャネル状態情報（ｃｈａｎｎｅｌ  ｓｔａｔｅ  ｉｎｆｏｒｍａｔｉｏｎ：ＣＳＩ）を生成した後、基地局またはノードにフィードバックまたはレポートできる。チャネル状態情報は、ＣＱＩ、ＰＭＩ、ＲＩなどを含む。
【００９５】
チャネル状態情報を転送する方式には、周期的転送（ｐｅｒｉｏｄｉｃ  ｔｒａｎｓｍｉｓｓｉｏｎ）と非周期的転送（ａｐｅｒｉｏｄｉｃ  ｔｒａｎｓｍｉｓｓｉｏｎ）がある。周期的転送は、普通ＰＵＣＣＨを介して転送されるが、ＰＵＳＣＨを介して転送されても良い。非周期的転送は、基地局がより精密なチャネル状態情報が必要な場合、端末に要請して行われる。非周期的転送は、ＰＵＳＣＨを介して行われる。ＰＵＳＣＨを使用するから、より容量が大きくて詳細なチャネル状態レポートが可能である。周期的転送と非周期的転送とが衝突すると、非周期的転送だけが転送される。
【００９６】
非周期的ＣＳＩフィードバックは、基地局の要請がある場合に行われる。基地局は、端末が接続する場合、ランダムアクセス応答グラント（ｒａｎｄｏｍ  ａｃｃｅｓｓ  ｒｅｓｐｏｎｓｅ  ｇｒａｎｔ）を端末に転送する時に、ＣＳＩフィードバックを要請できる。または、接続した端末にアップリンクスケジューリング情報を転送するＤＣＩフォーマットを使用して、ＣＳＩフィードバックを要請することもできる。ＣＳＩフィードバックを要請するＣＳＩ要請フィールドは、１ビットまたは２ビットからなる。１ビットの場合、「０」であれば、ＣＳＩリポートがトリガー（ｔｒｉｇｇｅｒｉｎｇ）にならず、「１」であれば、ＣＳＩリポートがトリガーになる。２ビットの場合は、次の表のとおりである。
【００９７】
【表４】
0005764717.tif 000012
ＣＳＩ要請フィールドによりＣＳＩリポートがアクティブになれば、端末は、ＤＣＩフォーマット０において指定したＰＵＳＣＨ資源を介してＣＳＩをフィードバックする。このとき、レポートモードに応じてどのＣＳＩをフィードバックするかが決定される。例えば、レポートモードに応じて、広帯域ＣＱＩ、端末選択的ＣＱＩ、上位階層設定ＣＱＩのうち、どのＣＱＩをフィードバックするかが決定される。また、ＣＱＩと共にどの種類のＰＭＩをフィードバックするかも決定される。ＰＵＳＣＨレポートモードは、上位階層メッセージを介して半静的に設定され、その一例は、次の表５のとおりである。
【００９８】
【表５】
0005764717.tif 000013
ＰＤＣＣＨを介してトリガーにならなければ転送されない非周期的ＣＳＩフィードバックとは異なり、周期的ＣＳＩフィードバックは、上位階層メッセージを介して半静的に設定される。周期的ＣＳＩフィードバックの周期ＮｐｄとサブフレームオフセットＮＯＦＦＳＥＴ，ＣＱＩは、「ｃｑｉ−ｐｍｉ−ＣｏｎｆｉｇＩｎｄｅｘ」（すなわち、ＩＣＱＩ／ＰＭＩ）というパラメーターを介して上位階層メッセージ（例えば、ＲＲＣメッセージ）として端末に伝達される。このパラメーター（ＩＣＱＩ／ＰＭＩ）と周期、サブフレームオフセットの関係は、ＦＤＤの場合に表６、ＴＤＤの場合に表７のとおりである。
【００９９】
【表６】
0005764717.tif 000014
【０１００】
【表７】
0005764717.tif 000015
周期的なＰＵＣＣＨレポートモードは、次の表のとおりである。
【０１０１】
【表８】
0005764717.tif 000016
端末は、チャネル状態情報、例えば、ＣＱＩをフィードバックするために特定資源領域の参照信号を測定しなければならない。ＣＱＩを生成するために測定しなければならない資源をＣＱＩ参照資源と呼ぶ。端末がアップリンクサブフレームｎにおいてＣＱＩをフィードバックすると仮定しよう。
【０１０２】
このとき、ＣＱＩ参照資源は、周波数領域においてＣＱＩ値に関連した周波数帯域に対応するダウンリンク物理的資源ブロックのグループとして定義され、時間領域で一つのダウンリンクサブフレームｎ−ｎＣＱＩ＿ｒｅｆとして定義される。
【０１０３】
周期的ＣＱＩフィードバックにおいて、ｎＣＱＩ＿ｒｅｆは、有効なダウンリンクサブフレームに対応する４以上の値のうち、最も小さな値である。非周期的ＣＱＩフィードバックにおいて、ｎＣＱＩ＿ｒｅｆは、対応するＣＱＩ要請を含むアップリンクＤＣＩフォーマットを含む有効なダウンリンクサブフレームを指し示す。
【０１０４】
非周期的ＣＱＩフィードバックにおいて、ダウンリンクサブフレームｎ−ｎＣＱＩ＿ｒｅｆがランダムアクセス応答グラント（Ｒａｎｄｏｍ  Ａｃｃｅｓｓ  Ｒｅｓｐｏｎｓｅ  Ｇｒａｎｔ）に含まれたＣＱＩ要請を含むサブフレームの以後に受信されると、ｎＣＱＩ＿ｒｅｆは４で、ダウンリンクサブフレームｎ−ｎＣＱＩ＿ｒｅｆは、有効なダウンリンクサブフレームに対応される。
【０１０５】
ダウンリンクサブフレームは、次の条件を満たすと、有効なダウンリンクサブフレームとして見なされる。
【０１０６】
１．端末にダウンリンクサブフレームとして設定され、２．転送モード９を除いて、ＭＢＳＦＮ（ｍｕｌｔｉｃａｓｔ−ｂｒｏａｄｃａｓｔ  ｓｉｎｇｌｅ  ｆｒｅｑｕｅｎｃｙ  ｎｅｔｗｏｒｋ）サブフレームではなく、３．ＤｗＰＴＳフィールドの長さが７６８０Ｔｓ以下ではなく、４．端末のために設定された測定ギャップに該当してはならない。
【０１０７】
仮に、ＣＱＩ参照資源のための有効なダウンリンクサブフレームがないと、アップリンクサブフレームｎにおいてＣＱＩフィードバックは省略される。
【０１０８】
階層領域（ｌａｙｅｒ  ｄｏｍａｉｎ）において、ＣＱＩ参照資源は、該当ＣＱＩ値を条件にしたＲＩ、ＰＭＩ値により定義される。
【０１０９】
ＣＱＩ参照資源において端末は、ＣＱＩインデックスを誘導するために次のような仮定下に動作する。
【０１１０】
１．ＣＱＩ参照資源において最初の３ＯＦＤＭシンボルは、制御信号により占有される。
【０１１１】
２．ＣＱＩ参照資源においてＰＳＳ（ｐｒｉｍａｒｙ  ｓｙｎｃｈｒｏｎｉｚａｔｉｏｎ  ｓｉｇｎａｌ）、ＳＳＳ（ｓｅｃｏｎｄａｒｙ  ｓｙｎｃｈｒｏｎｉｚａｔｉｏｎ  ｓｉｇｎａｌ）またはＰＢＣＨ（ｐｈｙｓｉｃａｌ  ｂｒｏａｄｃａｓｔ  ｃｈａｎｎｅｌ）により使用される資源要素はない。
【０１１２】
３．ＣＱＩ参照資源において非−ＭＢＳＦＮ（ｎｏｎ−ＭＢＳＦＮ）サブフレームのＣＰ長を仮定。
【０１１３】
４．リダンダンシーバージョン０
次の表は、ＣＱＩ参照資源のために仮定されるＰＤＳＣＨの転送モードを示す。
【０１１４】
【表９】
0005764717.tif 000017
転送モード９は、最大８階層の転送を可能にする閉ループ空間多重化方式であり、アンテナポート７‐１４を使用することができる。
【０１１５】
転送モード９及びそのフィードバックレポートモードにおいて端末は、ただＣＳＩ−ＲＳに基づいてＣＱＩを計算するためのチャネル測定を行う。その他の転送モード及び該当レポートモードでは、ＣＲＳに基づいてＣＱＩを計算するためのチャネル測定を行う。
【０１１６】
端末がフィードバックするＣＱＩインデックスとその解釈は、次の表のとおりである。
【０１１７】
【表１０】
0005764717.tif 000018
上述したように、従来の周期的ＣＱＩフィードバックまたはレポート方法は、基地局が上位階層信号を介して周期的ＣＱＩフィードバックの周期（Ｎｐｄ）とサブフレームオフセット（ＮＯＦＦＳＥＴ，ＣＱＩ）を「ｃｑｉ−ｐｍｉ−ＣｏｎｆｉｇＩｎｄｅｘ」（すなわち、ＩＣＱＩ／ＰＭＩ）というパラメーターを介して半静的に設定する。すると、端末は、ＣＱＩ参照資源でＣＲＳまたはＣＳＩ−ＲＳを測定して前記パラメーター（すなわち、ＩＣＱＩ／ＰＭＩ）により設定されたアップリンクサブフレームのＰＵＣＣＨを介してＣＱＩを転送する。このとき、端末は、前述したように、周波数領域において物理的ＲＢグループ、時間領域において一つのダウンリンクサブフレーム（ダウンリンクサブフレームｎ-ｎＣＱＩ＿ｒｅｆ）の参照信号を測定する。
【０１１８】
従来の非周期的ＣＱＩフィードバック方法は、基地局がＣＱＩ要請をアップリンクＤＣＩフォーマットに含んで転送することによって、非周期的ＣＱＩフィードバックをトリガーする。すると、端末は、前記アップリンクＤＣＩフォーマットがスケジューリングするアップリンクサブフレームにおいて非周期的ＣＱＩを転送する。このとき、端末は、周波数領域において物理的ＲＢグループ、時間領域でＣＱＩ要請を含むアップリンクＤＣＩフォーマットを含む有効ダウンリンクサブフレームの参照信号を測定して非周期的ＣＱＩを生成する。
【０１１９】
上述した周期的／非周期的ＣＱＩフィードバックにおいて、測定の対象になる資源をＣＱＩ参照資源と呼ぶ。
【０１２０】
一方、多重ノードシステムでは、端末に複数のノードまたはノードグループが割り当てられることができ、各ノードまたはノードグループ別に互いに異なる参照信号を使用することができる。この場合、端末は、複数の参照信号を測定しなければならず、各参照信号に対するＣＳＩ（例えば、ＣＱＩ）をレポートしなければならない。
【０１２１】
図１０は、一つの端末が測定しなければならない複数のＣＳＩ−ＲＳを例示する。
【０１２２】
図１０に示すように、端末にＣＳＩ−ＲＳ  ＃０（＃０と表示）、ＣＳＩ−ＲＳ  ＃１（＃１と表示）が設定されることができる。ＣＳＩ−ＲＳ  ＃０は、ノード＃Ｎが転送するＣＳＩ−ＲＳでありえ、ＣＳＩ−ＲＳ  ＃１は、ノード＃Ｍが転送するＣＳＩ−ＲＳでありうる。
【０１２３】
ＣＳＩ−ＲＳ  ＃０の転送周期とＣＳＩ−ＲＳ  ＃１の転送周期は、同一でありうる。例えば、ＣＳＩ−ＲＳ  ＃０は、サブフレームｎ＋１０ｍにおいて転送されることができる（ｍは、０または自然数）。ＣＳＩ−ＲＳ  ＃１は、サブフレームｎ＋１＋１０ｍにおいて転送されることができる。すなわち、ＣＳＩ−ＲＳ  ＃０、ＣＳＩ−ＲＳ  ＃１は、転送周期は同じであるものの、サブフレームオフセット値は、異なる２個のＣＳＩ−ＲＳと言える。
【０１２４】
図１０に示すように、同じ端末に互いに異なるサブフレームにおいて転送されるＣＳＩ−ＲＳが設定されることができる。しかし。これに制限されるものではない。すなわち、同じ端末に同一のサブフレームにおいて転送される複数のＣＳＩ−ＲＳが設定されることもできる。
【０１２５】
図１１は、同一のサブフレームにおいて転送される複数のＣＳＩ−ＲＳが同一端末に設定される例を示す。
【０１２６】
図１１に示すように、サブフレームｎでは、ＣＳＩ−ＲＳ  ＃０，１が転送される。ＣＳＩ−ＲＳ  ＃０は、ノード＃Ｎが転送するＣＳＩ−ＲＳでありえ、ＣＳＩ−ＲＳ  ＃１は、ノード＃Ｍが転送するＣＳＩ−ＲＳでありうる。
【０１２７】
上述したように、同一の端末に複数のＣＳＩ−ＲＳが設定される場合、端末がにどんな方式でＣＳＩを転送するかが問題となる。
【０１２８】
図１２は、端末の周期的ＣＳＩ転送方法の第１の実施形態を示す。
【０１２９】
図１２に示すように、端末にサブフレームｎ＋１０ｋ（ｋは、０または自然数）、サブフレームｎ＋１＋１０ｋにおいて転送される２個のＣＳＩ−ＲＳが割り当てられることができる。サブフレームｎ＋１０ｋにおいて転送されるＣＳＩ−ＲＳをＣＳＩ−ＲＳ  ＃０、サブフレームｎ＋１＋１０ｋにおいて転送されるＣＳＩ−ＲＳをＣＳＩ−ＲＳ  ＃１と仮定する。
【０１３０】
基地局は、例えば、上位階層メッセージ、さらに具体的には、「ｃｑｉ−ｐｍｉ−ＣｏｎｆｉｇＩｎｄｅｘ」（すなわち、ＩＣＱＩ／ＰＭＩ）というパラメーターを介して周期的ＣＳＩフィードバックの周期Ｎｐｄと複数のサブフレームオフセットＮＯＦＦＳＥＴ，ＣＱＩ，１、ＮＯＦＦＳＥＴ，ＣＱＩ，２を設定できる。端末は、周期的ＣＳＩフィードバックの周期、複数のサブフレームオフセットを利用して２個のサブフレームに位置するＰＵＣＣＨを介してＣＳＩをフィードバックできる。
【０１３１】
図１２において周期的ＣＳＩフィードバックの周期は１０サブフレーム、サブフレームオフセット値は４、５で与えられた場合である。
【０１３２】
第１の実施形態のように端末がＣＳＩをフィードバックする場合、ＣＳＩ参照資源を従来の定義によって特定すれば、端末が使用するＰＵＣＣＨに対した基地局スケジューリングに制約が発生する。
【０１３３】
図１２のようにＣＳＩ−ＲＳが設定された状況下で、サブフレームｎ＋４においてＰＵＣＣＨを利用して周期的ＣＳＩをフィードバックしようとすると、サブフレームｎのＣＳＩ−ＲＳを測定してＣＳＩを生成しなければならない。サブフレームｎ＋５ないしサブフレームｎ＋１３のうち、いずれか一つのサブフレームにおいてＰＵＣＣＨを利用して周期的ＣＳＩをフィードバックするためには、サブフレームｎ＋１のＣＳＩ−ＲＳを測定してＣＳＩを生成しなければならない。すなわち、サブフレームｎ＋４では、サブフレームｎをＣＳＩ参照資源とし、サブフレームｎ＋５ないしｎ＋１３までのサブフレームでは、サブフレームｎ＋１をＣＳＩ参照資源とする。したがって、ＣＳＩ−ＲＳ  ＃０に対するＣＳＩフィードバックは、サブフレームｎ＋４においてのみ可能で、ＣＳＩ−ＲＳ  ＃１に対するＣＳＩフィードバックは、サブフレームｎ＋５ないしｎ＋１３において可能である。従来のＣＳＩ参照資源定義によれば、ＣＳＩ−ＲＳ  ＃０に対するＣＳＩフィードバックは、サブフレームｎ＋４＋Ｔ（Ｔは、ＣＳＩフィードバック周期）においてのみ可能であるという制約が生じるので、基地局のスケジューリングの制約が発生する。
【０１３４】
図１３は、端末の周期的ＣＳＩ転送方法の第２の実施形態を示す。
【０１３５】
図１３においても図１２と同様に、端末にサブフレームｎ＋１０ｋ（ｋは、０または自然数）、サブフレームｎ＋１＋１０ｋにおいて転送される２個のＣＳＩ−ＲＳが割り当てられることができる。サブフレームｎ＋１０ｋにおいて転送されるＣＳＩ−ＲＳをＣＳＩ−ＲＳ  ＃０、サブフレームｎ＋１＋１０ｋにおいて転送されるＣＳＩ−ＲＳをＣＳＩ−ＲＳ  ＃１と仮定する。基地局は、複数のＣＳＩ−ＲＳに対するＣＳＩを一つのアップリンクサブフレーム内の複数のＰＵＣＣＨを介して転送するように設定できる。すなわち、サブフレームｎ＋１０ｋ、ｎ＋１＋１０ｋ（ｋは、０または自然数）において転送したＣＳＩ−ＲＳに対するＣＳＩをサブフレームｎ＋５＋１０ｋ内の２個のＰＵＣＣＨを介してフィードバックするよう設定できる。
【０１３６】
第２の実施形態のように、端末がＣＳＩをフィードバックする場合、ＣＳＩ参照資源を従来の定義によって特定できない。
【０１３７】
サブフレームｎ＋５の２個のＰＵＣＣＨをＰＵＣＣＨ  ＃０、ＰＵＣＣＨ＃１と仮定する。ＰＵＣＣＨ  ＃０では、ＣＳＩ−ＲＳ  ＃０、ＰＵＣＣＨ＃１では、ＣＳＩ−ＲＳ  ＃１に対するＣＳＩをフィードバックすると仮定する。従来のＣＳＩ参照資源定義によれば、端末は、４サブフレームの以前のサブフレームのうち、有効ダウンリンクサブフレームに該当するサブフレームの特定物理的ＲＢにおいて参照信号を測定してＣＳＩを生成する。
【０１３８】
このような従来のＣＳＩ参照資源定義によれば、同一サブフレームにおいて転送されるＰＵＣＣＨ  ＃０、ＰＵＣＣＨ  ＃１に対してＣＳＩ参照資源は同じ有効ダウンリンクサブフレームにならなければならない。仮に、ＰＵＣＣＨ  ＃０、ＰＵＣＣＨ  ＃１がサブフレームｎ＋５において転送されるならば、ＣＳＩ参照資源は、サブフレームｎ＋１にならなければならない。
【０１３９】
ところが、基地局が所望するＣＳＩは、サブフレームｎ，ｎ＋１において転送されるＣＳＩ−ＲＳに対するＣＳＩであるから、ＣＳＩ参照資源の定義を変更する必要がある。ＣＳＩ参照資源の一例としてＣＱＩ参照資源を説明する。
【０１４０】
従来のＣＱＩ参照資源の定義において、有効ダウンリンクサブフレームを次のように変更できる。
【０１４１】
Ｉ．ＣＱＩ参照資源定義の第１例
１．端末にダウンリンクサブフレームとして設定され、２．転送モード９を除いてＭＢＳＦＮサブフレームであってはならず、３．ＤｗＰＴＳフィールドの長さが７６８０Ｔｓ以下の場合、ＤｗＰＴＳを含まず、４．端末に設定された測定ギャップに該当してはならないという従来の定義の他に、追加的に５．転送モード９において、マッピングされたＣＳＩ−ＲＳが存在するサブフレームでなければならず、ＣＳＩ−ＲＳパターンは、ＰＵＣＣＨ、ＰＵＳＣＨまたはＣＱＩナンバーにマッピングされる。ＣＱＩナンバーとは、一つのＰＵＣＣＨにおいて転送されるＣＱＩを整列してナンバリングするとき、ＣＱＩの順序（ＣＱＩ＃０、ＣＱＩ＃１…）を示す。
【０１４２】
図１４は、ＣＱＩ参照資源定義の第１例を使用する場合、端末のＣＳＩフィードバック方法の一例を示す。
【０１４３】
端末は、基地局からＣＳＩ−ＲＳとマッピングされるＰＵＣＣＨ、ＰＵＳＣＨまたはＣＱＩナンバーを知らせるマッピング情報を受信する（Ｓ１０１）。基地局は、ＰＤＣＣＨを介して転送されるＤＣＩにマッピング情報を含むか、又は上位階層メッセージを介して知らせることができる。
【０１４４】
端末は、複数のＣＳＩ−ＲＳを受信する（Ｓ１０２）。端末は、複数のノードにおいて転送した複数のＣＳＩ−ＲＳを受信することができる。
【０１４５】
端末は、上述したＣＱＩ参照資源定義の第１例及びマッピング情報に基づいて有効ダウンリンクサブフレームを決定し（Ｓ１０３）、有効ダウンリンクサブフレームにおいてＣＳＩ−ＲＳを測定する（Ｓ１０４）。すなわち、端末は、ＰＵＣＣＨまたはＰＵＳＣＨにおいてＣＳＩを転送しようとするとき、前記ＰＵＣＣＨまたはＰＵＳＣＨにマッピング情報に基づいてマッピングされる有効ダウンリンクサブフレームを決定して該当有効ダウンリンクサブフレームのＣＳＩ−ＲＳを測定する。
【０１４６】
端末は、設定されたアップリンクサブフレームにおいてＣＳＩを転送する（Ｓ１０５）。設定されたアップリンクサブフレームとは、周期的ＣＳＩフィードバックの場合には、半静的に設定されたアップリンクサブフレーム、非周期的ＣＳＩフィードバックの場合には、アップリンクＤＣＩフォーマットがスケジューリングするアップリンクサブフレームになる。
【０１４７】
前記例では、基地局が端末にマッピング情報をあたえる例を説明したが、これに制限されるものではない。すなわち、マッピング情報は、予め決まることができ、この場合、マッピング情報の送受信が不必要な場合もありうる。
【０１４８】
図１５は、端末の周期的ＣＳＩ転送方法の第３の実施形態を示す。
【０１４９】
図１５においても図１２と同様に、端末にサブフレームｎ＋１０ｋ（ｋは、０または自然数）、サブフレームｎ＋１＋１０ｋにおいて転送される２個のＣＳＩ−ＲＳが割り当てられることができる。基地局は、複数のＣＳＩ−ＲＳに対するＣＳＩを一つのアップリンクサブフレーム内の一つのＰＵＣＣＨを介して転送するように設定できる。すなわち、サブフレームｎ＋１０ｋ、ｎ＋１＋１０ｋ（ｋは、０または自然数）において転送したＣＳＩ−ＲＳに対するＣＳＩをサブフレームｎ＋５＋１０ｋの一つのＰＵＣＣＨを介してフィードバックするよう設定できる。
【０１５０】
第３の実施形態のように端末がＣＳＩをフィードバックする場合、ＣＳＩ参照資源を従来の定義によって特定できない。
【０１５１】
したがって、従来のＣＳＩ参照資源の定義を次のように変更できる。
【０１５２】
ＩＩ．ＣＱＩ参照資源定義の第２例
すなわち、測定対象になる各ＣＳＩ−ＲＳを最も最近に転送したサブフレームをＣＳＩ参照資源として定義することである。この場合、ＣＳＩ参照資源は、複数のサブフレームに拡張されることができる。
【０１５３】
例えば、時間領域でＣＱＩ参照資源（ＣＳＩ参照資源）は、Ｎ個のダウンリンクサブフレームとして定義されることができる。前記Ｎ個のダウンリンクサブフレームは、ダウンリンクサブフレームｎ‐ｎＣＱＩ‐ｒｅｆ‐Ｎ＋１からダウンリンクサブフレームｎ‐ｎＣＱＩ‐ｒｅｆまでのＮ個のダウンリンクサブフレームである。
【０１５４】
ＣＱＩ参照資源のサブフレームの数を表すＮは、転送モード９に対しては、設定されたＣＳＩ−ＲＳ転送周期内でＣＳＩ−ＲＳを含むダウンリンクサブフレームの数と同一で、それ以外の場合には１である。
【０１５５】
ＣＱＩ参照資源の時間領域でのサブフレームの数Ｎは、上述したように定義されるか、または基地局が端末にシグナルリングする値に設定されることができる。基地局は、ＰＤＣＣＨを介して転送されるＤＣＩ、または上位階層メッセージを介して前記Ｎ値を端末に知らせることができる。
【０１５６】
前記第３の実施形態において、ＰＵＣＣＨを介して転送するＣＱＩが多数の場合、マッピング情報によって各ＣＱＩに対した有効ダウンリンクサブフレームを決定できる。
【０１５７】
図１６は、ＣＱＩ参照資源定義の第２例を使用する場合、端末のＣＳＩフィードバック方法の一例を示す。
【０１５８】
端末は、基地局からＣＱＩ参照資源を構成する有効ダウンリンクサブフレームの数Ｎに対した情報を受信する（Ｓ２０１）。基地局は、ＰＤＣＣＨを介して転送されるＤＣＩにマッピング情報を含むか、または上位階層メッセージを介して知らせることができる。
【０１５９】
端末は、設定された複数のＣＳＩ−ＲＳを受信する（Ｓ２０２）。端末は、複数のノードにおいて転送した複数のＣＳＩ−ＲＳを受信することができる。
【０１６０】
端末は、上述したＣＱＩ参照資源定義の第２例及び前記Ｎに対した情報に基づいて有効ダウンリンクサブフレームを決定し（Ｓ２０３）、Ｎ個の有効ダウンリンクサブフレームにおいてＣＳＩ−ＲＳを測定する（Ｓ２０４）。
【０１６１】
端末は、設定されたアップリンクサブフレームにおいてＣＳＩを転送する（Ｓ２０５）。設定されたアップリンクサブフレームとは、周期的ＣＳＩフィードバックの場合には、半静的に設定されたアップリンクサブフレーム、非周期的ＣＳＩフィードバックの場合には、アップリンクＤＣＩフォーマットがスケジューリングするアップリンクサブフレームになる。
【０１６２】
前記例では、基地局が端末にＮに対した情報をあたえる例を説明したが、これは限定されるものではない。すなわち、Ｎに対した情報は、予め決まることができ、この場合、Ｎに対した情報の送受信が必要でないときもある。
【０１６３】
前記例において周期的ＣＳＩ転送としてＰＵＣＣＨを利用すると仮定したが、本発明はこれに限定されない。ＰＵＣＣＨにおいて転送できる情報量の制限のため、今後のＬＴＥにおいて周期的なＰＵＳＣＨフィードバックが支援される可能性が存在する。周期的なＰＵＳＣＨフィードバックとは、基地局が端末に周期的なＣＳＩフィードバックを行うことができるＰＵＳＣＨ資源を設定し、端末が該当ＰＵＳＣＨ資源を利用してＣＳＩフィードバックを行うことを意味する。この場合、前記例でのＰＵＣＣＨは、ＰＵＳＣＨに取り替えることができる。
【０１６４】
以下、非周期的ＣＳＩフィードバック方法について説明する。
【０１６５】
図１７は、端末の非周期的ＣＳＩ転送方法の第１の実施形態を示し、図１８は、端末の非周期的ＣＳＩ転送方法の第２の実施形態を示す。
【０１６６】
図１７は、端末が複数のサブフレームに割り当てられたＣＳＩ−ＲＳを測定した後、複数のサブフレームのＰＵＳＣＨにおいてＣＳＩを転送する例を示し、図１８は、端末が複数のサブフレームに割り当てられたＣＳＩ−ＲＳを測定した後、一つのサブフレームのＰＵＳＣＨにおいてＣＳＩを転送する例を示す。
【０１６７】
非周期的ＣＳＩ転送方法の第１の実施形態及び第２の実施形態は、従来のＣＳＩ参照資源定義に従っても良い。
【０１６８】
図１９は、端末の非周期的ＣＳＩ転送方法の第３の実施形態を示す。
【０１６９】
非周期的ＣＳＩ転送方法の第３の実施形態によると、サブフレームｎ＋５のＰＵＳＣＨにおいてサブフレームｎ，ｎ＋１において受信した２個のＣＳＩ−ＲＳに対するＣＳＩを転送する。これは、従来のＣＳＩ参照資源定義によっては不可能である。したがって、上述したＣＱＩ参照資源定義の第２例を適用してＣＱＩ参照資源を決定することが好ましい。
【０１７０】
上述したＣＱＩ参照資源定義の第２例は、以下のように変更されることができる。
【０１７１】
ＩＩＩ．ＣＱＩ参照資源定義の第３例
時間領域においてＣＱＩ参照資源は、Ｎ個のダウンリンクサブフレーム、すなわち、ｎ-ｎＣＱＩ＿ｒｅｆ（ｉ）と定義できる。ここで、ｉ＝０，…，Ｎ−１である。
【０１７２】
周期的ＣＱＩフィードバックにおいて、ｎＣＱＩ＿ｒｅｆ（ｉ）は、４以上の値のうち、最も小さな値を有する有効ダウンリンクサブフレームであり、ｉがｊと異なるとき、ｎＣＱＩ＿ｒｅｆ（ｊ）と同一でない。
【０１７３】
非周期的ＣＱＩフィードバックにおいて、ｎＣＱＩ＿ｒｅｆ（ｉ）は、ＣＱＩ要請を含むアップリンクＤＣＩフォーマットが含まれた有効ダウンリンクサブフレームであり、ｉとｊが異なるとき、ｎＣＱＩ＿ｒｅｆ（ｊ）と同一でない。
【０１７４】
非周期的ＣＱＩフィードバックにおいて、ダウンリンクサブフレームｎ−ｎＣＱＩ＿ｒｅｆがランダムアクセス応答グラントに含まれるＣＱＩ要請を含むサブフレームの以後に受信される場合、ｎＣＱＩ＿ｒｅｆ（０）は４であり、ダウンリンクサブフレームｎ−ｎＣＱＩ＿ｒｅｆは、有効ダウンリンクサブフレームに対応される。
【０１７５】
ＣＱＩ参照資源の数を表すＮは、転送モード９の場合、設定されたＣＳＩ−ＲＳ転送周期内で設定されたＣＳＩ−ＲＳが位置するサブフレームの数と同一で、それ以外の場合には１である。
【０１７６】
一方、上述した非周期的ＣＳＩ転送方法の第３の実施形態のように、単一のＰＵＳＣＨを介してＣＳＩをフィードバックする場合、ＣＳＩ−ＲＳが転送されるすべてのサブフレームをＣＳＩ参照資源とすることもできるが、前記ＣＳＩ−ＲＳが転送されるサブフレームのうち、特定ＣＳＩ−ＲＳが転送されるサブフレームだけをＣＳＩ参照資源とすることができる。
【０１７７】
例えば、基地局が非周期的ＣＳＩフィードバック要請の際、特定ＣＳＩ−ＲＳパターンに対するＣＳＩフィードバックだけを要請できる。この場合、端末は、該当ＣＳＩ−ＲＳパターンが転送される特定サブフレームだけをＣＳＩ参照資源にすることができる。
【０１７８】
前記特定サブフレームの位置は、非周期的ＣＳＩフィードバックを要請するダウンリンクサブフレームに特定サブフレームオフセットを足すか、引く方法により決定されることができる。前記サブフレームオフセットは、以下の何れか一つの方法を利用できる。
【０１７９】
１．ＣＳＩ要請フィールド値を用いる方法
２．サブフレームオフセット値をＤＣＩに含んで端末に転送する方法
３．サブフレームオフセット値をＲＲＣメッセージを介して直接知らせる方法
前記１．ＣＳＩ要請フィールド値を用いる方法は、基地局が端末にどのＣＳＩ−ＲＳパターンに対するＣＳＩフィードバックを要請するかを指定できる新しいＣＳＩ要請フィールドが定義される場合に適用できる。すなわち、基地局がＣＳＩ要請フィールドを介して特定ＣＳＩ−ＲＳパターンに対するＣＳＩフィードバック要請をすれば、該当ＣＳＩ要請フィールド値によってＣＳＩ参照資源が決定されることができる。
【０１８０】
前記２．、３．の方法は、基地局が明示的にサブフレームオフセット値をＤＣＩまたはＲＲＣメッセージを介して知らせる方法である。
【０１８１】
基地局が非周期的ＣＳＩフィードバックを要請する際、特定ＣＳＩ−ＲＳパターンに対するＣＳＩフィードバックだけを要請できるならば、ＣＱＩ参照資源の定義は、次のように変更されることができる。
【０１８２】
ＩＶ．ＣＱＩ参照資源定義の第４例
端末がアップリンクサブフレームｎにおいてＣＱＩをフィードバックすると仮定しよう。このとき、ＣＱＩ参照資源は、周波数領域においてＣＱＩ値に関連した周波数帯域に対応するダウンリンク物理的資源ブロックのグループとして定義され、時間領域で一つのダウンリンクサブフレームｎ−ｎＣＱＩ＿ｒｅｆとして定義される。
【０１８３】
周期的ＣＱＩフィードバックにおいて、ｎＣＱＩ＿ｒｅｆは、有効なダウンリンクサブフレームに対応する４以上の値のうち、最も小さな値である。非周期的ＣＱＩフィードバックにおいて、ｎＣＱＩ＿ｒｅｆは、対応するＣＱＩ要請を含むアップリンクＤＣＩフォーマットを含む有効なダウンリンクサブフレームを基準にＣＱＩ要請フィールド、ＤＣＩフィールドまたはＲＲＣメッセージにより決定されるサブフレームオフセット値ｎｏｆｆｓｅｔを足すか、または引いた有効ダウンリンクサブフレームを指し示す。
【０１８４】
非周期的ＣＱＩフィードバックにおいて、ダウンリンクサブフレームｎ−ｎＣＱＩ＿ｒｅｆがランダムアクセス応答グラント（Ｒａｎｄｏｍ  Ａｃｃｅｓｓ  Ｒｅｓｐｏｎｓｅ  Ｇｒａｎｔ）に含まれたＣＱＩ要請を含むサブフレームの以後に受信されると、ｎＣＱＩ＿ｒｅｆは４で、ダウンリンクサブフレームｎ−ｎＣＱＩ＿ｒｅｆは、有効なダウンリンクサブフレームに対応される。
【０１８５】
有効ダウンリンクサブフレームの定義は、従来と同一である。
【０１８６】
本発明は、内容の理解を助けるために多重ノードシステムを例として説明したが、これに限定されるものではない。すなわち、本発明は、任意のシステムにおいて多重ＣＳＩ−ＲＳ設定を適用する場合に使用することができる。また、ＣＳＩの例として、主にＣＱＩを説明したが、ＲＩ、ＰＭＩなども適用可能であることは勿論である。
【０１８７】
図２０は、基地局及び端末を示すブロック図である。
【０１８８】
基地局１００は、プロセッサ１１０、メモリ１２０及びＲＦ部（ＲＦ（ｒａｄｉｏ  ｆｒｅｑｕｅｎｃｙ）ｕｎｉｔ）１３０を備える。プロセッサ１１０は、提案された機能、過程及び／または方法を具現する。例えば、プロセッサ１１０は、端末に参照信号とマッピングされるＰＵＣＣＨ，ＰＵＳＣＨまたはＣＱＩナンバーを知らせるマッピング情報を転送し、複数のノードを介して複数の参照信号を転送できる。またはＣＳＩ参照資源を構成する有効ダウンリンクサブフレームの数Ｎに対した情報を転送できる。プロセッサ１１０は、端末からチャネル状態情報のフィードバックを受けてスケジューリングに使用することができる。メモリ１２０は、プロセッサ１１０と接続されて、プロセッサ１１０を駆動するための多様な情報を格納する。ＲＦ部１３０は、プロセッサ１１０と接続されて、無線信号を転送及び／または受信する。ＲＦ部１３０は、有線で基地局１００に接続した複数のノードから構成されることができる。
【０１８９】
端末２００は、プロセッサ２１０、メモリ２２０及びＲＦ部２３０を備える。プロセッサ２１０は、上述した機能及び方法を行う。例えば、プロセッサ２１０は、基地局からＲＲＣメッセージのような上位階層信号またはＤＣＩを介して参照信号とマッピングされるＰＵＣＣＨ、ＰＵＳＣＨ、またはＣＱＩナンバーを知らせるマッピング情報またはＣＳＩ参照資源を構成する有効ダウンリンクサブフレームの数Ｎに対した情報を受信する。このような情報は、従来のＣＳＩ参照資源の定義を本発明の実施形態に従って変更して採用されることができる。また、プロセッサ２１０は、複数の参照信号を割り当てられたノードから受信し、複数の参照信号各々を測定してチャネル状態情報を生成する。その後、前記複数の参照信号の各々に対するチャネル状態情報を周期的または非周期的にフィードバックする。メモリ２２０は、プロセッサ２１０と接続されて、プロセッサ２１０を駆動するための多様な情報を格納する。ＲＦ部２３０は、プロセッサ２１０と接続されて、無線信号を転送及び／または受信する。
【０１９０】
プロセッサ１１０、２１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、データ処理装置及び／またはベースバンド信号及び無線信号を相互変換する変換器を備えることができる。メモリ１２０、２２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を備えることができる。ＲＦ部１３０、２３０は、無線信号を転送及び／または受信する一つ以上のアンテナを備えることができる。実施形態がソフトウェアにおいて具現化されるとき、上述した技法は、上述した機能を行うモジュール（過程、機能など）を用いて具現化されることができる。モジュールは、メモリ１２０、２２０に格納され、プロセッサ１１０、２１０により実行されることができる。メモリ１２０、２２０は、プロセッサ１１０、２１０の内部または外部にあることができ、よく知られた多様な手段を用いてプロセッサ１１０、２１０と接続されることができる。
【０１９１】
本発明は、ハードウェア、ソフトウェアまたはこれらの組み合わせにより具現化されることができる。ハードウェアの具現化にあたって、上述した機能を行うためにデザインされたＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＤＳＰ（ｄｉｇｉｔａｌ  ｓｉｇｎａｌ  ｐｒｏｃｅｓｓｉｎｇ）、ＰＬＤ（ｐｒｏｇｒａｍｍａｂｌｅ  ｌｏｇｉｃ  ｄｅｖｉｃｅ）、ＦＰＧＡ（ｆｉｅｌｄ  ｐｒｏｇｒａｍｍａｂｌｅ  ｇａｔｅ  ａｒｒａｙ）、プロセッサ、制御機、マイクロ・プロセッサ、他の電子ユニットまたはこれらの組み合わせにより具現化されることができる。ソフトウェアの具現化にあたって、上述した機能を行うモジュールにより具現化されることができる。ソフトウェアは、メモリユニットに格納されることができ、プロセッサにより実行される。メモリユニットやプロセッサは、当業者にとって周知の多様な手段を採用できる。
【０１９２】
以上、本発明の好ましい実施形態について詳細に述べたが、本発明が属する技術分野における通常の知識を有した者であれば、添付された請求の範囲に定義される本発明の思想及び範囲から逸脱しない範囲内で、本発明を様々に変形または変更して実施できることが分かる。したがって、本発明の今後の実施形態等の変更は、本発明の技術から逸脱して行われてはならない。
【図１】
0005764717.tif 000019
【図２】
0005764717.tif 000020
【図３】
0005764717.tif 000021
【図４】
0005764717.tif 000022
【図５】
0005764717.tif 000023
【図６】
0005764717.tif 000024
【図７】
0005764717.tif 000025
【図８】
0005764717.tif 000026
【図９】
0005764717.tif 000027
【図１０】
0005764717.tif 000028
【図１１】
0005764717.tif 000029
【図１２】
0005764717.tif 000030
【図１３】
0005764717.tif 000031
【図１４】
0005764717.tif 000032
【図１５】
0005764717.tif 000033
【図１６】
0005764717.tif 000034
【図１７】
0005764717.tif 000035
【図１８】
0005764717.tif 000036
【図１９】
0005764717.tif 000037
【図２０】
0005764717.tif 000038